(57)【要約】      （修正有）【課題】構造が簡単で低コストのプラスチック・オプチカルファイバーの接続器を提供する。【解決手段】内部に板体１１を備え、且つこの板体１１に一対のフォーカシング・ホール１１１を形成し、フォーカシング・ホール１１１の片側に保持部１２を延伸し、板体１１の設置によって、オプチカルファイバー接続器１内部を二つの収容スペースに分割し、その収容スペースの一つに光を収発するモジユール２１を設置した台座２を設け、且つ光収発モジユール２１の収発ターミナル２１１がフォーカシング・ホール１１１のもう一方の片側に対応し、最後に、ワイヤ座３をオプチカルファイバー接続器１内部にセットすることによって、保持部１２がワイヤ座３のオプチカルファイバー・ガイド穴３１の中へ置かれる。【選択図】図３
0003145452.tif 000002
【実用新案登録請求の範囲】
【請求項１】
少なくとも、オプチカルファイバー接続器と、台座と、ワイヤ座と、を含み、
前記オプチカルファイバー接続器はその内部に板体を設け、前記板体の適所に一対のフォーカシング・ホールを開設し、且つフォーカシング・ホールの片側に保持部が外へ延伸されていて、
前記台座には、光収発モジュールが設置され、且つ光収発モジュールの前端に収発ターミナルを備えていて、
前記台座は、オプチカルファイバー接続器の内部に設置され、
且つ光収発モジュールの収発ターミナルは、板体フォーカシング・ホールの別の片側に接続されていて、
前記ワイヤ座には、オプチカルファイバー接続器の保持部に対応設置されたオプチカルファイバー・ガイド穴を備えていて、
前記ワイヤ座は、オプチカルファイバー接続器の内部にセットされると共に、保持部がオプチカルファイバー・ガイド穴の中に収容されるようになっていることを特徴とする、
プラスチック・オプチカルファイバー接続器。
【請求項２】
前記フォーカシング・ホールには、ガイド面を設けて、オプチカルファイバーのオプチカルファイバー糸がフォーカシング・ホールの中に導引されるようにしたことを特徴とする請求項１に記載のプラスチック・オプチカルファイバー接続器。
【請求項３】
前記保持部は、オプチカルファイバーを保持できることを特徴とする請求項１に記載のプラスチック・オプチカルファイバー接続器。
【考案の詳細な説明】
【技術分野】
【０００１】
本考案は、プラスチック・オプチカルファイバーの接続器に関し、特にオプチカルファイバー接続器内部のフォーカシング・ホールによって、オプチカルファイバーのファイバー糸と光収発モジュールが相互に精密に対応接続する目的を効果的に達成できるプラスチック・オプチカルファイバーの接続器に関するものである。
【背景技術】
【０００２】
プラスチック・オプチカルファイバーは、その優れた湾曲半径及び現場施工の簡易性などの効能によって、オプチカルファイバーの普及及びＦＴＴＨ（Ｆｉｂｅｒ  Ｔｏ  Ｔｈｅ  Ｈｏｍｅ）の実現に向かって大きな進歩をもたらしている。
【０００３】
現在、市場には、接続器無用の光収発モジュールが発売されており、技術的には、オプチカルファイバーの外装（Ｓｈｅａｔｈ  ｏｒ  Ｊａｃｋｅｔ）によって位置決めフォーカシングの基準としている。
【０００４】
しかしながら、この方式ではオプチカルファイバーの誤差が比較的大きいため、オプチカルファイバー糸の直径が比較的小さい場合、誤差の関係でフォーカシングの困難を招き易く、光パワーの損失が過大になり、使用上の不都合を招き易い。
【０００５】
以上のように従来のプラスチック・オプチカルファイバーには、尚幾多の欠点があり、よい設計とは言い難く、改良が待たれている。
【０００６】
本考案は上述した従来技術の欠点に鑑みて成されたもので、極力新規改善を試み、且つ長年苦心研鑽の末、ついに本件プラスチック・オプチカルファイバー接続器の研究開発に成功した。
【考案の開示】
【考案が解決しようとする課題】
【０００７】
本考案の目的は、オプチカルファイバー接続器の内部にフォーカシング・ホールを設置する方式によって、オプチカルファイバーのファイバー糸と光収発モジュールが相互に精密に対応接続でき、光パワーの良好な使用状態を達成することにある。
本考案のもう一つの目的は、構造が簡単且つコストの安いプラスチック・オプチカルファイバーの接続器を提供することにある。
【課題を解決するための手段】
【０００８】
本考案に係るプラスチック・オプチカルファイバーの接続器は、主として、オプチカルファイバー接続器と、台座と、ワイヤ座などの構成部品からなる。前記オプチカルファイバー接続器の内部には、板体を設置し、且つこの板体に一対のフォーカシング・ホールを開設し、前記フォーカシング・ホールの片側に保持部を外へ延伸し、更に板体によってオプチカルファイバー接続器の内部を二つの収容スペースに分割し、収容スペースの一つに光収発モジュールを設置した台座を設置することによって、光収発モジュールの収発ターミナルが板体のフォーカシング・ホールのもう一つの片側とぴったり対応接続される。最後にワイヤ座をオプチカルファイバー接続器の内部に設置することによって、保持部がオプチカルファイバー・ガイド穴の中に置かれる。ユーザーがオプチカルファイバーをガイド穴からオプチカルファイバー接続器の内部に差し込むと、オプチカルファイバーのオプチカルファイバー糸がフォーカシング・ホールによって精密に光収発モジュールの収発ターミナルに対応接続され、相互に素早く対応して接続することができる。
【考案の効果】
【０００９】
本考案に係るプラスチック・オプチカルファイバー接続器にあっては、従来の技術に比べて、下記のような長所がある。
（１）本考案はオプチカルファイバー接続器の内部に一対のフォーカシング・ホールを設置する方式で、オプチカルファイバーのオプチカルファイバー糸と光収発モジュールとが相互に精密に対応接続され、光パワーの良好な使用状態を呈する目的を達成できる。
（２）本考案は、構造が簡単で低コストのプラスチック・オプチカルファイバー接続器を提供できる。
【考案を実施するための最良の形態】
【００１０】
図１から図３は、本考案に係るプラスチック・オプチカルファイバー接続器を示す。
【００１１】
本考案に係るプラスチック・オプチカルファイバー接続器は、主として、内部に板体１１を備えたオプチカルファイバー接続器１と、光収発モジュール２１を設置した台座２と、オプチカルファイバー・ガイド穴を備えたワイヤ座３と、を含む。
【００１２】
前記板体１１の適所に一対のフォーカシング・ホール１１１を開設し、且つフォーカシング・ホール１１１にガイド面１１２を形成し、又、フォーカシング・ホール１１１の片側に保持部１２を外へ延伸してある。
【００１３】
前記ガイド面１１２は、オプチカルファイバー４のオプチカルファイバー糸４１を精密にフォーカシング・ホール１１１の中へ導引することが出来る。
前記保持部１２は、オプチカルファイバー４を保持することが出来る。
【００１４】
前記光収発モジュール２１の前側面には収発ターミナル２１１を備える。
前記台座２は、オプチカルファイバー接続器の内部に設置され、且つ光収発モジュール２１の収発ターミナル２１１は板体１１のフォーカシング・ホール１１１のもう一方の片側にぴったり対応接続される。
【００１５】
前記ワイヤ座３には、オプチカルファイバー接続器１の保持部１２と対応設置されたオプチカルファイバー・ガイド穴３１が設けてある。
前記ワイヤ座３は、オプチカルファイバー接続器１の内部に設置されると共に、保持部１２がオプチカルファイバー・ガイド穴３１の中に収容出来るようになっている。
【００１６】
上述した各構成部品を組み立てたあと、前端にオプチカルファイバー糸が露出されたオプチカルファイバー４を、ワイヤ座３のオプチカルファイバー・ガイド穴３１から差し込むと（図３）、オプチカルファイバー４のオプチカルファイバー糸４１がフォーカシング・ホール１１１のガイド面１１２の設置によって、正確に板体１１のフォーカシング・ホール１１１の中へ差し込まれ、光伝送又は光収発の何れにおいても、オプチカルファイバー４と光収発モジュール２１とが、光パワーの最良使用状態を達成できると共に、光干渉及び電気干渉を避けることが出来る。
【００１７】
上述した詳細な説明は、本考案の実施例の説明にすぎず、本考案の請求範囲を制限するものではなく、凡そ本考案の技術思想を逸脱せずになされる等価の実施又は変更もすべて本考案に含まれるものである。
【図面の簡単な説明】
【００１８】
【図１】本考案のプラスチック・オプチカルファイバー接続器の斜視分解図である。
【図２】プラスチック・オプチカルファイバー接続器の斜視結合図である。
【図３】プラスチック・オプチカルファイバー接続器のプラスチック・オプチカルファイバーと光収発モジュールを接続した略図である。
【符号の説明】
【００１９】
１・・・・・・オプチカルファイバー接続器
１１・・・・・板体
１１１・・・・フォーカシング・ホール
１１２・・・・ガイド面
１２・・・・・保持部
２・・・・・・台座
２１・・・・・光収発モジュール
２１１・・・・収発ターミナル
３・・・・・・ワイヤ座
３１・・・・・オプチカルファイバー・ガイド穴
４・・・・・・オプチカルファイバー
４１・・・・・オプチカルファイバー糸
【図１】
0003145452.tif 000003
【図２】
0003145452.tif 000004
【図３】
0003145452.tif 000005